(57)【特許請求の範囲】
【請求項１】
コンテンツを記録する記録装置と、携帯可能な携帯ゲーム機とからなる情報処理システムにおいて、
前記記録装置は、
コンテンツを記録媒体に記録する記録制御手段と、
前記記録媒体に記録されたコンテンツから、ユーザが選択したコンテンツを、転送の対象の対象コンテンツとして選択する選択手段と、
前記対象コンテンツを要約した要約情報を作成する作成手段と、
前記記録装置と、前記携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御手段と、
前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御手段と、
前記操作情報セットの特定情報によって特定されるコンテンツに対して、その特定情報と対応付けられている操作情報に対応する処理を施す操作情報反映手段と
を備え、
前記携帯ゲーム機は、
前記要約情報セットを、前記記録装置から受信する要約情報受信制御手段と、
前記要約情報セットの要約情報に対して行われた操作に関する操作情報と、その要約情報に対応付けられている特定情報とを対応付けた操作情報セットを、前記記録装置に転送する操作情報転送制御手段と
を備え、
前記記録装置は、前記記録媒体から消去するコンテンツの一覧である自動消去リストに対して、前記記録媒体に記録がされてから一定時間以上経過したコンテンツを登録する機能を有し、
前記対象コンテンツは、前記ユーザによるコンテンツの選択に関係なく、前記自動消去リストに追加されたコンテンツを含み、
前記操作情報反映手段は、前記操作情報セットの特定情報によって特定されるコンテンツに対して、その特定情報と対応付けられている操作情報に対応して、コンテンツを削除する処理、又は、コンテンツをプロテクトする処理を行う
情報処理システム。
【請求項２】
コンテンツを記録する記録装置において、
コンテンツを記録媒体に記録する記録制御手段と、
前記記録媒体に記録されたコンテンツから、ユーザが選択したコンテンツを、転送の対象の対象コンテンツとして選択する選択手段と、
前記対象コンテンツを要約した要約情報を作成する作成手段と、
前記記録装置と、携帯可能な携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御手段と、
前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御手段と、
前記操作情報セットの特定情報によって特定されるコンテンツに対して、その特定情報と対応付けられている操作情報に対応する処理を施す操作情報反映手段と
を備え、
前記記録装置は、前記記録媒体から消去するコンテンツの一覧である自動消去リストに対して、前記記録媒体に記録がされてから一定時間以上経過したコンテンツを登録する機能を有し、
前記対象コンテンツは、前記ユーザによるコンテンツの選択に関係なく、前記自動消去リストに追加されたコンテンツを含み、
前記操作情報反映手段は、前記操作情報セットの特定情報によって特定されるコンテンツに対して、その特定情報と対応付けられている操作情報に対応して、コンテンツを削除する処理、又は、コンテンツをプロテクトする処理を行う
記録装置。
【請求項３】
前記操作情報反映手段は、さらに、前記操作情報セットの特定情報によって特定されるコンテンツに対して、その特定情報と対応付けられている操作情報に対応して、コンテンツを他の記録媒体に記録する処理、又は、コンテンツの録画予約の処理を行う
請求項２に記載の記録装置。
【請求項４】
前記作成手段は、対象コンテンツのタイトル、対象コンテンツの先頭の一部、対象コンテンツからキーフレームとして検出されたフレームの画像データ、対象コンテンツのサムネイル、対象コンテンツに関するテキストデータ、又は、対象コンテンツに含まれる音声データを、前記要約情報とする
請求項２に記載の記録装置。
【請求項５】
コンテンツを記録する記録装置の情報処理方法において、
コンテンツを記録する記録媒体に記録されたコンテンツから、ユーザが選択したコンテンツを、転送の対象の対象コンテンツとして選択する選択ステップと、
前記対象コンテンツを要約した要約情報を作成する作成ステップと、
前記記録装置と、携帯可能な携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御ステップと、
前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御ステップと、
前記操作情報セットの特定情報によって特定されるコンテンツに対して、その特定情報と対応付けられている操作情報に対応する処理を施す操作情報反映ステップと
を含み、
前記記録装置は、前記記録媒体から消去するコンテンツの一覧である自動消去リストに対して、前記記録媒体に記録がされてから一定時間以上経過したコンテンツを登録する機能を有し、
前記対象コンテンツは、前記ユーザによるコンテンツの選択に関係なく、前記自動消去リストに追加されたコンテンツを含み、
前記操作情報反映ステップでは、前記操作情報セットの特定情報によって特定されるコンテンツに対して、その特定情報と対応付けられている操作情報に対応して、コンテンツを削除する処理、又は、コンテンツをプロテクトする処理を行う
情報処理方法。
【請求項６】
コンテンツを記録する記録装置に実行させるプログラムにおいて、
コンテンツを記録媒体に記録する記録制御手段と、
前記記録媒体に記録されたコンテンツから、ユーザが選択したコンテンツを、転送の対象の対象コンテンツとして選択する選択手段と、
前記対象コンテンツを要約した要約情報を作成する作成手段と、
前記記録装置と、携帯可能な携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御手段と、
前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御手段と、
前記操作情報セットの特定情報によって特定されるコンテンツに対して、その特定情報と対応付けられている操作情報に対応する処理を施す操作情報反映手段と
して、コンピュータを機能させるプログラムであり、
前記記録装置は、前記記録媒体から消去するコンテンツの一覧である自動消去リストに対して、前記記録媒体に記録がされてから一定時間以上経過したコンテンツを登録する機能を有し、
前記対象コンテンツは、前記ユーザによるコンテンツの選択に関係なく、前記自動消去リストに追加されたコンテンツを含み、
前記操作情報反映手段は、前記操作情報セットの特定情報によって特定されるコンテンツに対して、その特定情報と対応付けられている操作情報に対応して、コンテンツを削除する処理、又は、コンテンツをプロテクトする処理を行う
プログラム。
【発明の詳細な説明】
【技術分野】
【０００１】
本発明は、情報処理システム、記録装置、情報処理方法、及びプログラムに関し、例えば、HD(Hard Disk)レコーダ等の、コンテンツを記録する記録装置内のコンテンツに対して、携帯可能な携帯機器で行われた操作を、容易に反映することができるようにする情報処理システム、記録装置、情報処理方法、及びプログラムに関する。
【背景技術】
【０００２】
例えば、HDレコーダやDVD(Digital Versatile Disc)レコーダ等のレコーダで記録したコンテンツを、外出先で視聴するために、コンテンツを、レコーダから携帯可能な携帯機器に転送する技術が提案されている（例えば、特許文献１や２を参照）。
【０００３】
ところで、従来のレコーダにおいては、レコーダに記録されたコンテンツの消去等は、例えば、ユーザが、レコーダに設けられた操作パネルや、レコーダのリモートコントローラを操作し、コンテンツの消去等を指令することによって行われる。
【０００４】
したがって、レコーダに記録されたコンテンツの消去等を行う場合には、ユーザは、レコーダの近くで、コンテンツの消去等を指令するように、リモートコマンダ等を操作する必要がある。
【０００５】
一方、レコーダの近くにいないユーザが、レコーダに記録されたコンテンツの消去等を行う方法としては、例えば、インターネット等のネットワークを利用して、レコーダを操作する方法がある。すなわち、例えば、外出先等のレコーダから離れた場所から、レコーダに記録されたコンテンツの消去等を行う方法として、インターネット等のネットワークを利用して、レコーダを操作する方法がある。
【０００６】
しかしながら、インターネット等のネットワークを利用して、レコーダを操作するには、ネットワークを介して、レコーダに接続するための複雑な設定が必要となる。
【０００７】
また、レコーダから離れた場所において、レコーダに記録されたコンテンツの消去を行うには、ユーザは、レコーダから離れた場所で、レコーダに記録されているコンテンツを知る必要がある。
【０００８】
ユーザが、レコーダから離れた場所で、レコーダに記録されているコンテンツを知る方法としては、例えば、上述のように、コンテンツをレコーダから携帯機器に転送し、その携帯機器を携帯して外出する方法がある。
【０００９】
【特許文献１】特開2006-202475号公報
【特許文献２】特開2007-080366号公報
【発明の開示】
【発明が解決しようとする課題】
【００１０】
以上のように、レコーダから離れた場所において、レコーダに記録されたコンテンツの消去を行うには、ネットワークを介して、レコーダに接続するための複雑な設定が必要となる。さらに、ユーザが、レコーダに記録されているコンテンツを知るために、コンテンツをレコーダから携帯機器に転送する必要がある。
【００１１】
しかしながら、ネットワークを介して、レコーダに接続するための複雑な設定を行うことは面倒である。また、レコーダから離れた場所で、レコーダに記録されたコンテンツの消去等を行うのに、レコーダに記録されているコンテンツを知る必要があるのであれば、コンテンツのすべてをレコーダから携帯機器に転送する必要はない。
【００１２】
本発明は、このような状況に鑑みてなされたものであり、コンテンツを記録するレコーダ内のコンテンツに対して、携帯機器で行われた操作を、容易に反映することができるようにするものである。
【課題を解決するための手段】
【００１３】
本発明の第１の側面の情報処理システムは、コンテンツを記録する記録装置と、携帯可能な携帯ゲーム機とからなる情報処理システムであり、前記記録装置は、コンテンツを記録媒体に記録する記録制御手段と、前記記録媒体に記録されたコンテンツから、ユーザが選択したコンテンツを、転送の対象の対象コンテンツとして選択する選択手段と、前記対象コンテンツを要約した要約情報を作成する作成手段と、前記記録装置と、前記携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御手段と、前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御手段と、前記操作情報セットの特定情報によって特定されるコンテンツに対して、その特定情報と対応付けられている操作情報に対応する処理を施す操作情報反映手段とを備え、前記携帯ゲーム機は、前記要約情報セットを、前記記録装置から受信する要約情報受信制御手段と、前記要約情報セットの要約情報に対して行われた操作に関する操作情報と、その要約情報に対応付けられている特定情報とを対応付けた操作情報セットを、前記記録装置に転送する操作情報転送制御手段とを備え、前記記録装置は、前記記録媒体から消去するコンテンツの一覧である自動消去リストに対して、前記記録媒体に記録がされてから一定時間以上経過したコンテンツを登録する機能を有し、前記対象コンテンツは、前記ユーザによるコンテンツの選択に関係なく、前記自動消去リストに追加されたコンテンツを含み、前記操作情報反映手段は、前記操作情報セットの特定情報によって特定されるコンテンツに対して、その特定情報と対応付けられている操作情報に対応して、コンテンツを削除する処理、又は、コンテンツをプロテクトする処理を行う情報処理システムである。
【００１４】
以上のような第１の側面においては、前記記録装置において、コンテンツが記録媒体に記録され、前記記録媒体に記録されたコンテンツから、ユーザが選択したコンテンツが、転送の対象の対象コンテンツとして選択される。さらに、前記対象コンテンツを要約した要約情報が作成され、前記記録装置と、前記携帯ゲーム機とが、ケーブルを介して接続されると、前記対象コンテンツの要約情報と、その対象コンテンツを特定する特定情報とを対応付けた要約情報セットが、前記携帯ゲーム機に転送される。また、前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットが、前記携帯ゲーム機から受信され、前記操作情報セットの特定情報によって特定されるコンテンツに対して、その特定情報と対応付けられている操作情報に対応する処理が施される。一方、前記携帯ゲーム機では、前記要約情報セットが、前記記録装置から受信され、前記要約情報セットの要約情報に対して行われた操作に関する操作情報と、その要約情報に対応付けられている特定情報とを対応付けた操作情報セットが、前記記録装置に転送される。この場合に、前記記録装置は、前記記録媒体から消去するコンテンツの一覧である自動消去リストに対して、前記記録媒体に記録がされてから一定時間以上経過したコンテンツを登録する機能を有し、前記対象コンテンツは、前記ユーザによるコンテンツの選択に関係なく、前記自動消去リストに追加されたコンテンツを含み、前記操作情報セットの特定情報によって特定されるコンテンツに対して、その特定情報と対応付けられている操作情報に対応して、コンテンツを削除する処理、又は、コンテンツをプロテクトする処理が行われる。
【００１５】
本発明の第２の側面の記録装置、又は、プログラムは、コンテンツを記録する記録装置、又は、記録装置に実行させるプログラムであり、コンテンツを記録媒体に記録する記録制御手段と、前記記録媒体に記録されたコンテンツから、ユーザが選択したコンテンツを、転送の対象の対象コンテンツとして選択する選択手段と、前記対象コンテンツを要約した要約情報を作成する作成手段と、前記記録装置と、携帯可能な携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御手段と、前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御手段と、前記操作情報セットの特定情報によって特定されるコンテンツに対して、その特定情報と対応付けられている操作情報に対応する処理を施す操作情報反映手段とを備え、前記記録装置は、前記記録媒体から消去するコンテンツの一覧である自動消去リストに対して、前記記録媒体に記録がされてから一定時間以上経過したコンテンツを登録する機能を有し、前記対象コンテンツは、前記ユーザによるコンテンツの選択に関係なく、前記自動消去リストに追加されたコンテンツを含み、前記操作情報反映手段は、前記操作情報セットの特定情報によって特定されるコンテンツに対して、その特定情報と対応付けられている操作情報に対応して、コンテンツを削除する処理、又は、コンテンツをプロテクトする処理を行う記録装置、又は、記録装置として、コンピュータを機能させるプログラムである。
【００１６】
本発明の第２の側面の情報処理方法は、コンテンツを記録する記録装置の情報処理方法であり、コンテンツを記録する記録媒体に記録されたコンテンツから、ユーザが選択したコンテンツを、転送の対象の対象コンテンツとして選択する選択ステップと、前記対象コンテンツを要約した要約情報を作成する作成ステップと、前記記録装置と、携帯可能な携帯ゲーム機とが、ケーブルを介して接続されると、前記対象コンテンツの要約情報と、その対象コンテンツを特定する特定情報とを対応付けた要約情報セットを、前記携帯ゲーム機に転送する要約情報転送制御ステップと、前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットを、前記携帯ゲーム機から受信する操作情報受信制御ステップと、前記操作情報セットの特定情報によって特定されるコンテンツに対して、その特定情報と対応付けられている操作情報に対応する処理を施す操作情報反映ステップとを含み、前記記録装置は、前記記録媒体から消去するコンテンツの一覧である自動消去リストに対して、前記記録媒体に記録がされてから一定時間以上経過したコンテンツを登録する機能を有し、前記対象コンテンツは、前記ユーザによるコンテンツの選択に関係なく、前記自動消去リストに追加されたコンテンツを含み、前記操作情報反映ステップでは、前記操作情報セットの特定情報によって特定されるコンテンツに対して、その特定情報と対応付けられている操作情報に対応して、コンテンツを削除する処理、又は、コンテンツをプロテクトする処理を行う情報処理方法である。
【００１７】
以上のような第２の側面においては、コンテンツが記録媒体に記録され、前記記録媒体に記録されたコンテンツから、ユーザが選択したコンテンツが、転送の対象の対象コンテンツとして選択される。さらに、前記対象コンテンツを要約した要約情報が作成され、前記記録装置と、携帯可能な携帯ゲーム機とが、ケーブルを介して接続されると、前記対象コンテンツの要約情報と、その対象コンテンツを特定する特定情報とを対応付けた要約情報セットが、前記携帯ゲーム機に転送される。また、前記記録装置と、前記携帯ゲーム機とが、ケーブルを介して接続されると、前記特定情報と、その特定情報によって特定されるコンテンツの要約情報に対して前記携帯ゲーム機で行われた操作に関する操作情報とを対応付けた操作情報セットが、前記携帯ゲーム機から受信され、前記操作情報セットの特定情報によって特定されるコンテンツに対して、その特定情報と対応付けられている操作情報に対応する処理が施される。この場合に、前記記録装置は、前記記録媒体から消去するコンテンツの一覧である自動消去リストに対して、前記記録媒体に記録がされてから一定時間以上経過したコンテンツを登録する機能を有し、前記対象コンテンツは、前記ユーザによるコンテンツの選択に関係なく、前記自動消去リストに追加されたコンテンツを含み、前記操作情報セットの特定情報によって特定されるコンテンツに対して、その特定情報と対応付けられている操作情報に対応して、コンテンツを削除する処理、又は、コンテンツをプロテクトする処理が行われる。
【００２１】
なお、プログラムは、伝送媒体を介して伝送し、又は、プログラム記録媒体に記録して、提供することができる。
【００２２】
また、記録装置や携帯ゲーム機は、独立した装置であっても良いし、１つの装置を構成している内部ブロックであっても良い。
【発明の効果】
【００２３】
本発明の第１及び第２の側面によれば、コンテンツを記録する記録装置内のコンテンツに対して、携帯可能な携帯ゲーム機で行われた操作を、容易に反映することができる。
【発明を実施するための最良の形態】
【００３０】
以下、図面を参照して、本発明の実施の形態について説明する。
【００３１】
図１は、本発明を適用した情報処理システム（システムとは、複数の装置が論理的に集合した物をいい、各構成の装置が同一筐体中にあるか否かは問わない）の一実施の形態の構成例を示している。
【００３２】
図１において、情報処理システムは、レコーダ１、情報機器２、及びTV（テレビジョン受像機）４から構成されている。
【００３３】
レコーダ１は、ディジタル放送等によって放送されている放送番組や、インターネット等を介して配信されてくる動画等の番組、ディジタルカメラで撮影された動画や静止画等のコンテンツを、記録媒体としての後述するHD１４（図２）に記録する。
【００３４】
また、レコーダ１は、HD１４に記録されたコンテンツを再生し、TV４に供給する。
【００３５】
さらに、レコーダ１は、ユーザの操作に応じて、HD１４に記録されたコンテンツを、転送の対象の対象コンテンツとして選択し、対象コンテンツを要約した要約情報を作成する。
【００３６】
また、レコーダ１は、例えば、USB(Universal Serial Bus)ケーブル３を介して、携帯機器２と接続することができるようになっている。そして、レコーダ１は、USBケーブル３を介して、携帯機器２と接続されると、対象コンテンツの要約情報と、その対象コンテンツを特定する特定情報としてのコンテンツID(Identification)とを対応付けた要約情報セットを、USBケーブル３を介して、携帯機器２に転送する。
【００３７】
さらに、レコーダ１と携帯機器２とが、USBケーブル３を介して接続された場合、レコーダ１には、携帯機器２から、後述する操作情報セットが転送されてくるようになっている。そして、レコーダ１は、携帯機器２から転送されてくる操作情報セットを受信する。
【００３８】
操作情報セットでは、コンテンツIDと、そのコンテンツIDによって特定されるコンテンツの要約情報に対して携帯機器２で行われた操作に関する操作情報とが対応付けられている。レコーダ１は、HD１４に記録されているコンテンツのうちの、操作情報セットのコンテンツIDによって特定されるコンテンツに対して、そのコンテンツIDと対応付けられている操作情報に対応する処理を施す。
【００３９】
携帯機器２は、携帯可能な、例えば、携帯電話機や携帯ゲーム機等であり、レコーダ１との間で、USBケーブル３を介して、情報のやりとりを行うことができるようになっている。
【００４０】
携帯機器２は、レコード１から、USBケーブル３を介して転送されてくる要約情報セットを受信する。さらに、携帯機器２は、要約情報セットの要約情報を、ユーザに提示し、その要約情報に対して行われたユーザによる操作に関する操作情報を、要約情報セットのコンテンツIDと対応付けた操作情報セットを保持する。そして、携帯機器２は、操作情報セットを、USBケーブル３を介して、携帯機器２に転送する。
【００４１】
TV４は、レコーダ１から供給されるコンテンツその他の情報を表示する。
【００４２】
以上のように構成される情報処理システムでは、レコーダ１において、コンテンツが、HD１４（図２）に記録される。
【００４３】
また、レコーダ１では、HD１４に記録されたコンテンツが再生され、TV４に供給されて表示される。
【００４４】
さらに、レコーダ１と、携帯機器２とが、USBケーブル３を介して接続されると、レコーダ１から携帯機器２に対して、要約情報セットが転送され、また、携帯機器２からレコーダ１に対して、操作情報セットが転送される。
【００４５】
レコーダ１では、携帯機器２からの操作情報セットを用いて処理が行われ、携帯機器２では、レコーダ１からの要約情報セットを用いて処理が行われる。
【００４６】
図２は、図１のレコーダ１の構成例を示している。
【００４７】
図２において、コンテンツ取得部１１は、ディジタル放送等によって放送される放送番組を受信するチューナや、インターネット等を介して配信される番組を受信する通信I/F(Interface)、ディジタルカメラ等から供給される動画や静止画等を受信するI/Fである。コンテンツ取得部１１は、コンテンツを取得し、記録再生制御部１３に供給する。
【００４８】
コンテンツ出力部１２には、HD１４やリムーバブル記録媒体１５から再生されたコンテンツが、記録再生制御部１３から供給される。コンテンツ出力部１２は、記録再生制御部１３からのコンテンツを、TV４に出力する。
【００４９】
記録再生制御部１３は、コンテンツ取得部１１から供給されるコンテンツの記録、及び、HD１４やリムーバブル記録媒体１５に記録されたコンテンツの再生を制御する。
【００５０】
すなわち、記録再生制御部１３は、コンテンツ取得部１１からのコンテンツを、HD１４やリムーバブル記録媒体１５に記録する。また、記録再生制御部１３は、HD１４やリムーバブル記録媒体１５に記録されたコンテンツを再生し、コンテンツ出力部１２や選択部１６に供給する。
【００５１】
HD１４には、記録再生制御部１３によって、コンテンツが記録される。
【００５２】
リムーバブル記録媒体１５は、例えば、光磁気ディスク等のディスク状の記録媒体や、半導体メモリであり、レコーダ１に対して着脱可能になっている。リムーバブル記録媒体１５には、記録再生制御部１３によって、コンテンツが記録される。
【００５３】
選択部１６は、HD１４に記録されたコンテンツから、携帯機器２への転送の対象とするコンテンツ（対象コンテンツ）を選択する。
【００５４】
すなわち、選択部１６は、HD１４に記録されたコンテンツから、対象コンテンツを選択するための選択画面を生成し、TV４に供給して表示させる。さらに、選択部１６は、TV４に表示された選択画面を見たユーザが、操作部２２を操作することにより、対象コンテンツとするコンテンツを選択するのを待って、ユーザが選択したコンテンツを、対象コンテンツとして選択する。そして、選択部１６は、対象コンテンツの供給を、記録再生制御部１３に要求し、その要求に応じて記録再生制御部１３がHD１４から再生して供給するコンテンツ（対象コンテンツ）を、要約作成部１７に供給する。
【００５５】
なお、記録再生制御部１３は、例えば、HD１４に、コンテンツを記録するときに、そのコンテンツを特定する特定情報としてのコンテンツIDを、コンテンツに付すようになっている。選択部１６は、記録再生制御部１３から供給されるコンテンツ（対象コンテンツ）を、コンテンツIDとともに、要約作成部１７に供給する。
【００５６】
要約作成部１７は、選択部１６から供給される対象コンテンツを要約した要約情報を作成し、その対象コンテンツのコンテンツIDと、要約情報とを対応付ける。さらに、要約作成部１７は、コンテンツIDと要約情報とを対応付けた、そのコンテンツIDと要約情報とのセットを、要約情報セットとして、要約情報転送制御部１８に供給する。
【００５７】
要約情報転送制御部１８は、要約作成部１７からの要約情報セットの、携帯機器２への転送を制御する。すなわち、要約情報転送制御部１８は、レコーダ１と携帯機器２とがUSBケーブル３によって接続されている場合に、要約作成部１７からの要約情報セットを、USBケーブル３を介して、携帯機器２に転送する。
【００５８】
操作情報受信制御部１９は、携帯機器２から、USBケーブル３を介して転送されてくる操作情報セットの受信を制御する。すなわち、操作情報受信制御部１９は、レコーダ１と携帯機器２とがUSBケーブル３によって接続されている場合に、携帯機器２から、USBケーブル３を介して転送されてくる操作情報セットを受信し、操作情報保持部２０に供給する。
【００５９】
操作情報保持部２０は、操作情報受信制御部１９からの操作情報セットを一時保持する。
【００６０】
操作情報反映部２１は、操作情報保持部２０に保持された操作情報セットを読み出し、その操作情報セットに基づいて、HD１４に記録されているコンテンツに対して、所定の処理を施す。
【００６１】
すなわち、上述したように、操作情報セットでは、コンテンツIDと、そのコンテンツIDによって特定されるコンテンツの要約情報に対して携帯機器２で行われた操作に関する操作情報とが対応付けられている。操作情報反映部２１は、HD１４に記録されているコンテンツのうちの、操作情報保持部２０から読み出した操作情報セットのコンテンツIDによって特定されるコンテンツに対して、そのコンテンツIDと対応付けられている操作情報に対応する処理を施す。
【００６２】
操作部２２は、例えば、レコーダ１の筐体に設けられた操作パネルや、レコーダ１を遠隔制御するためのリモートコマンダ等である。操作部２２は、ユーザによって操作され、その操作に対応した操作信号を、レコーダ１を構成する必要なブロックに供給する。
【００６３】
次に、図３は、図１の携帯機器２の構成例を示している。
【００６４】
要約情報受信制御部４１は、レコーダ１から、USBケーブル３を介して転送されてくる要約情報セットの受信を制御する。すなわち、要約情報受信制御部４１は、レコーダ１と携帯機器２とがUSBケーブル３によって接続されている場合に、レコーダ１（図２）の要約情報転送制御部１８から、USBケーブル３を介して転送されてくる要約情報セットを受信し、要約情報保持部４２に供給する。
【００６５】
要約情報保持部４２は、要約情報受信制御部４１から供給される要約情報セットを一時保持する。
【００６６】
制御部４３は、要約情報保持部４２から要約情報セットを読み出し、その要約情報セットの要約情報を、出力制御部４４に供給する。
【００６７】
また、制御部４３には、操作部４６から操作信号が供給されるようになっている。
【００６８】
制御部４３は、操作部４６からの操作信号に基づき、後述する出力部４５から要約情報が出力されている場合において、その要約情報に対して行われた操作部４６の操作に関する操作情報を生成する。さらに、制御部４３は、操作部４６の操作の対象となった要約情報に対応付けられているコンテンツIDと、操作情報とを対応付け、その結果得られるコンテンツIDと操作情報とのセットを、操作情報セットとして、操作情報保持部４７に供給する。
【００６９】
出力制御部４４は、制御部４３から供給される要約情報の出力を制御する。すなわち、出力制御部４４は、制御部４３からの要約情報に表示可能な情報が含まれる場合には、その表示可能な情報を、画像として、出力部４５に表示させる。また、出力制御部４４は、制御部４３からの要約情報に音声出力可能な情報が含まれる場合には、その音声出力可能な情報を、音声として、出力部４５に出力させる。
【００７０】
出力部４５は、ディスプレイやスピーカ等で構成され、出力制御部４４の制御に従い、画像を表示し、また、音声を出力する。
【００７１】
操作部４６は、ユーザによって操作され、その操作に応じた操作信号を、制御部４３に供給する。
【００７２】
操作情報保持部４７は、制御部４３から供給される操作情報セットを一時保持する。
【００７３】
操作情報読み出し部４８は、操作情報保持部４７に記憶（保持）された操作情報セットを読み出し、操作情報転送制御部４９に供給する。
【００７４】
操作情報転送制御部４９は、操作情報読み出し部４８からの操作情報セットの、レコーダ１への転送を制御する。すなわち、操作情報転送制御部４９は、レコーダ１と携帯機器２とがUSBケーブル３によって接続されている場合に、操作情報読み出し部４８からの操作情報セットを、USBケーブル３を介して、レコーダ１（図２）の操作情報受信制御部１９に転送する。
【００７５】
以上のように構成されるレコーダ１、及び携帯機器２では、例えば、レコーダ１と携帯機器２とがUSBケーブル３によって接続され、ユーザが、HD１４（図２）に記録されたコンテンツから、対象コンテンツを選択するための選択画面を表示するように、操作部２２（図２）を操作すると、レコーダ１では、要約情報セットを、USBケーブル３を介して、携帯機器２に転送する要約情報転送処理が行われる。
【００７６】
要約情報転送処理では、レコーダ１（図２）において、選択部１６が、選択画面を生成し、TV４に供給して表示させる。
【００７７】
図４は、選択画面の例を示している。
【００７８】
選択部１６は、記録再生制御部１３に対して、HD１４に記録されたコンテンツのタイトルの一覧を要求し、そのタイトルの一覧（以下、適宜、コンテンツリストという）を含む選択画面を生成する。
【００７９】
選択画面においては、ユーザは、例えば、コンテンツリストにおけるタイトル等をクリックするように、操作部２２を操作することにより、そのタイトルのコンテンツを、対象コンテンツとして選択することができる。
【００８０】
また、選択画面には、コンテンツリストの他、実行ボタン６１と終了ボタン６２が設けられている。
【００８１】
ユーザが、操作部２２を操作することにより、実行ボタン６１をクリックすると、対象コンテンツの選択が確定される。また、ユーザが、操作部２２を操作することにより、終了ボタン６２をクリックすると、選択画面が閉じられる（TV４に表示された選択画面が消去される）。
【００８２】
次に、図５のフローチャートを参照して、レコーダ１（図２）で行われる要約情報転送処理について説明する。
【００８３】
予約情報転送処理では、ステップＳ１１において、選択部１６が、上述の選択画面（図４）を生成し、TV４に供給して、表示させる。
【００８４】
その後、処理は、ステップＳ１１からステップＳ１２に進み、選択部１６は、ユーザが、選択画面のコンテンツリストにおけるタイトルを選択するように、操作部２２の操作（選択操作）を行ったかどうかを判定する。
【００８５】
ステップＳ１２において、選択操作が行われたと判定された場合、すなわち、ユーザが、選択画面のコンテンツリストにおけるタイトルのうちのいずれかをクリックした場合、処理は、ステップＳ１３に進み、選択部１６は、ユーザがタイトルをクリックしたコンテンツを、対象コンテンツとして選択し、処理は、ステップＳ１４に進む。
【００８６】
一方、ステップＳ１２において、選択操作が行われていないと判定された場合、処理は、ステップＳ１３をスキップして、ステップＳ１４に進み、選択部１６は、ユーザが、操作部２２によって、選択画面（図４）の実行ボタン６１を操作したかどうかを判定する。
【００８７】
ステップＳ１４において、実行ボタン６１が操作されていないと判定された場合、処理は、ステップＳ１２に戻り、以下、同様の処理が繰り返される。
【００８８】
また、ステップＳ１４において、実行ボタン６１が操作されたと判定された場合、選択部１６は、ユーザがタイトルをクリックしたコンテンツを対象コンテンツとして選択することを確定し、記録再生制御部１３に対して、対象コンテンツを要求する。そして、記録再生制御部１３が、HD１４から対象コンテンツを再生し（読み出し）、選択部１６に供給するのを待って、処理は、ステップＳ１４からステップＳ１５に進む。
【００８９】
ステップＳ１５では、要約作成部１７は、選択部１６から供給される対象コンテンツを要約した要約情報を作成し、その対象コンテンツのコンテンツIDと、要約情報とを対応付ける。さらに、要約作成部１７は、コンテンツIDと要約情報とを対応付けた、そのコンテンツIDと要約情報とのセットを、要約情報セットとして、要約情報転送制御部１８に供給して、処理は、ステップＳ１５からステップＳ１６に進む。
【００９０】
なお、対象コンテンツの要約情報としては、例えば、対象コンテンツの、例えば、タイトルを採用することができる。
【００９１】
ステップＳ１６では、要約情報転送制御部１８は、要約作成部１７からの要約情報セットを、USBケーブル３を介して、携帯機器２に転送し、要約情報転送処理は終了する。なお、選択画面（図４）の終了ボタン６２が操作された場合も、要約情報転送処理は終了する。
【００９２】
以上のように、レコーダ１において、図５の要約情報転送処理が行われるのに対応して、レコーダ１とUSBケーブル３で接続された携帯機器２では、レコーダ１からの要約情報セットを受信する要約情報受信処理が行われる。
【００９３】
図６のフローチャートを参照して、携帯機器２（図３）で行われる要約情報受信処理について説明する。
【００９４】
要約情報受信処理では、レコーダ１から携帯機器２に対して、要約情報セットが転送されてくるのを待って、ステップＳ２１において、要約情報受信制御部４１が、レコーダ１（の要約情報転送制御部１８）からの要約情報セットを受信する。さらに、ステップＳ２１では、要約情報受信制御部４１が、要約情報セットを、要約情報保持部４２に供給して、処理は、ステップＳ２２に進む。
【００９５】
ステップＳ２２では、要約情報保持部４２が、要約情報受信制御部４１からの要約情報セットを保持（蓄積）し、要約情報受信処理は終了する。
【００９６】
以上のように、携帯機器２において、要約情報保持部４２に、要約情報セットが保持された後、ユーザは、携帯機器２から、USBケーブル３を取り外し、例えば、携帯機器２を携帯して、外出をすることができる。さらに、ユーザは、外出先において、携帯機器２を操作することにより、コンテンツの要約情報、ひいては、コンテンツ自体に対して所定の処理を施すことができる。
【００９７】
すなわち、例えば、ユーザが、外出先に携帯した携帯機器２（図３）の操作部４６を、要約情報の表示を行うように操作すると、携帯機器２では、ユーザが要約情報に対して行う操作に関する操作情報を取得する操作情報取得処理が行われる。
【００９８】
操作情報取得処理では、携帯機器２において、図６の要約情報受信処理で、要約情報保持部４２に保持された要約情報セットの要約情報が、ユーザに提示される。これにより、ユーザは、携帯機器２によって、要約情報を視聴することができる。
【００９９】
例えば、上述したように、要約情報として、コンテンツのタイトルが採用されている場合においては、携帯機器２では、要約情報を表示する要約画面として、要約情報であるタイトルの一覧（コンテンツリスト）を含む画面を生成して表示することができる。
【０１００】
また、要約画面としては、その要約画面に含まれるコンテンツリストにおけるタイトルのコンテンツの消去を行うことができる消去画面を採用することができる。
【０１０１】
図７は、要約画面としての消去画面の例を示している。
【０１０２】
要約画面としての消去画面では、要約情報保持部４２に保持された要約情報セットの要約情報としてのタイトルの一覧であるコンテンツリストが表示される。
【０１０３】
消去画面のコンテンツリストにおける各タイトルの左側には、チェック欄７１が表示される。チェック欄７１がクリックされると、そのチェック欄７１には、チェックマークが表示される。なお、チェックマークの表示状態は、チェック欄７１がクリックされるごとに、表示状態と非表示状態とに交互に切り換えられる。
【０１０４】
ユーザは、消去画面が表示されているときに、コンテンツを消去するように、操作部４６を操作することにより、すなわち、例えば、消去を行うコンテンツのタイトルの左側のチェック欄７１にチェックマークを付すことにより、コンテンツの消去を行うことを指令することができる。
【０１０５】
要約画面としての消去画面には、コンテンツリストの他、確定ボタン７２と終了ボタン７３が設けられている。
【０１０６】
確定ボタン７２は、タイトルの左のチェック欄７１にチェックマークが付されたコンテンツの消去を確定するときに操作される。終了ボタン７３は、要約画面としての消去画面を閉じるときに操作される。
【０１０７】
次に、図８のフローチャートを参照して、携帯機器２（図３）で行われる操作情報取得処理について説明する。
【０１０８】
操作情報取得処理では、ステップＳ３１において、要約情報保持部４２に保持された要約情報セットの要約情報に基づく要約画面が、出力部４５に表示される。
【０１０９】
すなわち、ステップＳ３１では、制御部４３が、要約情報保持部４２に保持された要約情報セットを読み出し、その要約情報セットの要約情報としてのタイトルの一覧であるコンテンツリストを生成する。さらに、制御部４３は、そのコンテンツリストを含む要約画面としての、例えば、図７の消去画面を生成し、出力制御部４４に供給する。出力制御部４４は、制御部４３からの要約画面としての消去画面を、出力部４５に表示して、処理は、ステップＳ３１からステップＳ３２に進む。
【０１１０】
ステップＳ３２では、制御部４３は、要約画面の要約情報としての、コンテンツリストにおけるタイトルに対する操作が、ユーザによって行われたかどうかを判定する。
【０１１１】
ステップＳ３２において、要約画面の要約情報に対する操作が行われたと判定された場合、すなわち、例えば、要約画面としての消去画面のコンテンツリストにおけるタイトルのコンテンツの消去を行うことを指令するように、操作部４６が操作され、その操作に対応する操作信号が、操作部４６から制御部４３に供給された場合（例えば、図７の消去画面において、１以上のタイトルの左のチェック欄７１にチェックマークが付され、その１以上のタイトルのコンテンツの消去を確定するために、確定ボタン７２が操作された場合）、処理は、ステップＳ３３に進み、制御部４３は、操作情報セットを、操作情報保持部４７に供給して保持させる。
【０１１２】
すなわち、ステップＳ３３では、制御部４３は、コンテンツの消去を行うことを指令するように、操作部４６が操作されることによって、操作部４６から供給される、コンテンツの消去の指令を表す操作信号に基づき、コンテンツの消去の指令を表す操作情報を生成する。
【０１１３】
さらに、制御部４３は、操作部４６からの操作信号に基づいて生成した操作情報と、要約情報セットにおいて、消去が指令されたコンテンツのタイトルである要約情報と対応付けられているコンテンツIDとを対応付け、その操作情報とコンテンツIDとのセットである操作情報セットを生成する。そして、制御部４３は、その操作情報セットを、操作情報保持部４７に供給して記憶（保持）させて、処理は、ステップＳ３３からステップＳ３４に進む。
【０１１４】
ここで、例えば、上述のように、携帯機器２において、操作部４６が、コンテンツの消去を行うことを指令するように操作された場合、その消去が指令されたコンテンツの要約情報としてのタイトルを含む要約情報セットは、要約情報保持部４２から消去することもできるし、そのまま保持しておくこともできる。
【０１１５】
ステップＳ３４では、制御部４３は、終了操作が行われたかどうか、すなわち、例えば、ユーザが、要約画面としての消去画面（図７）における終了ボタン７３を、操作部４６によって操作したかどうかを判定する。
【０１１６】
ステップＳ３４において、終了操作が行われていないと判定された場合、処理は、ステップＳ３２に戻り、以下、同様の処理が行われる。
【０１１７】
また、ステップＳ３４において、終了操作が行われたと判定された場合、すなわち、ユーザが、消去画面における終了ボタン７３を、操作部４６によって操作し、その操作に対応する操作信号が、操作部４６から制御部４３に供給された場合、操作情報取得処理は終了する。
【０１１８】
以上のように、携帯機器２において、図８の操作情報取得処理が行われ、操作情報セットが操作情報保持部４７に保持されている場合において、例えば、ユーザが、外出先から帰宅し、レコーダ１と携帯機器２とを、USBケーブル３（図１）によって接続すると、携帯機器２では、操作情報セットを、USBケーブル３を介して、レコーダ１に転送する操作情報転送処理が行われる。
【０１１９】
すなわち、操作情報転送処理では、ステップＳ４１において、操作情報読み出し部４８（図３）が、操作情報保持部４７から１セットの操作情報セット（コンテンツIDと操作情報とのセット）を読み出し、操作情報転送制御部４９に供給して、処理は、ステップＳ４２に進む。
【０１２０】
ステップＳ４２では、操作情報転送制御部４９は、操作情報読み出し部４８からの操作情報セットを、USBケーブル３を介して、レコーダ１に転送する。さらに、操作情報転送制御部４９は、操作情報セットが正常にレコーダ１に転送されると、その操作情報セットの消去を、操作情報読み出し部４８に指令する。操作情報読み出し部４８は、操作情報転送制御部４９からの指令に従い、操作情報保持部４７に保持されている操作情報セットを消去する。これにより、操作情報保持部４７に保持されている操作情報セットのうちの、レコーダ１に正常に転送された操作情報セットは消去される。
【０１２１】
その後、処理は、ステップＳ４２からステップＳ４３に進み、操作情報読み出し部４８は、操作情報保持部４７に、まだ転送していない操作情報セット（未転送の操作情報セット）が保持されているかどうかを判定する。
【０１２２】
ステップＳ４３において、操作情報保持部４７に、まだ転送していない操作情報セットが保持されていると判定された場合、すなわち、操作情報保持部４７に、操作情報セットが保持されている場合、処理は、ステップＳ４１に戻り、以下、同様の処理が行われる。
【０１２３】
また、ステップＳ４３において、操作情報保持部４７に、まだ転送していない操作情報セットが保持されていないと判定された場合、すなわち、操作情報保持部４７に、操作情報セットが保持されていない場合、操作情報転送処理は終了する。
【０１２４】
以上のように、携帯機器２において、図９の操作情報転送処理が行われるのに対応して、携帯機器２とUSBケーブル３で接続されたレコーダ１では、携帯機器２からの操作情報セットを受信し、操作情報セットの操作情報に対応する処理を、HD１４に記録されたコンテンツに対して施す操作反映処理が行われる。
【０１２５】
図１０のフローチャートを参照して、レコーダ１（図２）で行われる操作反映処理について説明する。
【０１２６】
操作反映処理では、携帯機器２からレコーダ１に対して、操作情報セットが転送されてくるのを待って、ステップＳ５１において、操作情報受信制御部１９（図２）が、携帯機器２（の操作情報転送制御部４９）からの操作情報セットを受信する。さらに、ステップＳ５１では、操作情報受信制御部１９が、操作情報セットを、操作情報保持部２０に供給して保持させる。
【０１２７】
ステップＳ５１において、操作情報受信制御部１９が、携帯機器２からの操作情報セットのすべてを受信し、操作情報保持部２０が、その操作情報セットのすべてを保持すると、処理は、ステップＳ５２に進み、操作情報反映部２１は、操作情報保持部２０に保持されている操作情報セットのうちの１セットを、注目セットとして読み出す。さらに、操作情報反映部２１は、HD１４に記録されているコンテンツのうちの、注目セットのコンテンツIDによって特定されるコンテンツに対して、注目セットの操作情報に対応する処理を施す。
【０１２８】
具体的には、注目セットの操作情報が、例えば、上述したように、コンテンツの消去の指令を表している場合には、操作情報反映部２１は、HD１４に記録されているコンテンツのうちの、注目セットのコンテンツIDによって特定されるコンテンツを、HD１４から消去する。これにより、レコーダ１では、レコーダ１内のコンテンツに対して、携帯機器２で行われたユーザによる操作が反映される。
【０１２９】
操作情報反映部２１は、注目セットの操作情報に対応する処理を行った後、その注目セットを、操作情報保持部２０から消去し、処理は、ステップＳ５２からステップＳ５３に進む。すなわち、操作情報に対応する処理が行われた操作情報セットは、操作情報保持部２０から消去される。
【０１３０】
ステップＳ５３では、操作情報反映部２１は、操作情報保持部２０に、まだ注目セットとされていない操作情報セットが保持されているかどうかを判定する。
【０１３１】
ステップＳ５３において、操作情報保持部２０に、まだ注目セットとされていない操作情報セットが保持されていると判定された場合、すなわち、操作情報保持部２０に、操作情報セットが保持されている場合、処理は、ステップＳ５１に戻り、操作情報保持部２０に保持されている操作情報セットのうちの１セットを、新たな注目セットとして、以下、同様の処理が行われる。
【０１３２】
また、ステップＳ５３において、操作情報保持部２０に、まだ注目セットとされていない操作情報セットが保持されていないと判定された場合、すなわち、操作情報保持部２０に、操作情報セットが保持されていない場合、操作反映処理は終了する。
【０１３３】
以上のように、レコーダ１では、HD１４に記録されたコンテンツが、対象コンテンツとして選択され、対象コンテンツを要約した要約情報が作成される。さらに、レコーダ１では、対象コンテンツの要約情報と、その対象コンテンツのコンテンツIDとを対応付けた要約情報セットが、携帯機器２に転送される。
【０１３４】
一方、携帯機器２では、レコーダ１からの要約情報セットが受信され、要約情報セットの要約情報に対して行われたユーザによる操作に関する操作情報と、その要約情報に対応付けられているコンテンツIDとを対応付けた操作情報セットが、レコーダ１に転送される。
【０１３５】
そして、レコーダ１では、携帯機器２からの操作情報セットが受信され、操作情報セットのコンテンツIDによって特定されるコンテンツに対して、そのコンテンツIDと対応付けられている操作情報に対応する処理が施される。
【０１３６】
したがって、レコーダ１内のコンテンツに対して、携帯機器２で行われた操作を、容易に（インターネット等のネットワークを介してレコーダ１を制御する場合に必要となる複雑な設定をすることなく）反映することができ、その結果、携帯機器２を操作することによって、実質的に、レコーダ１を操作することが可能となる。
【０１３７】
また、レコーダ１から携帯機器２に対しては、HD１４に記録されたコンテンツそのものではなく、コンテンツを要約した要約情報（とコンテンツIDのセット）が転送されるので、HD１４に記録されたコンテンツそのものを転送する場合に比較して、転送に要する時間が短くて済む。
【０１３８】
さらに、レコーダ１から携帯機器２に対して、コンテンツを要約した要約情報（とコンテンツIDのセット）を転送する場合には、HD１４に記録されたコンテンツそのものを転送する場合に比較して、携帯機器２において、要約情報を保持する要約情報保持部４２として、容量の小さな記録（記憶）媒体を使用することができる。
【０１３９】
なお、本実施の形態では、対象コンテンツの要約情報として、対象コンテンツのタイトルを採用することとしたが、対象コンテンツの要約情報は、対象コンテンツのタイトルに限定されるものではない。
【０１４０】
すなわち、対象コンテンツの要約情報としては、対象コンテンツの先頭の一部（例えば、対象コンテンツのデータの先頭から一定のデータ量分のデータや、対象コンテンツのデータの先頭から一定の再生時間分のデータ等）を採用することができる。
【０１４１】
また、対象コンテンツが画像データを含む場合には、対象コンテンツからキーフレームを検出し、そのキーフレームの画像データを、対象コンテンツの要約情報として採用することができる。ここで、キーフレームとしては、例えば、シーンチェンジ後の最初のフレームや、動きベクトルの大きさが一定値以上のフレーム等を採用することができる。
【０１４２】
さらに、対象コンテンツが画像データを含む場合には、キーフレームや、一定のフレーム数ごとのフレームのサムネイルを作成し、そのサムネイル（群）を、対象コンテンツの要約情報として採用することができる。
【０１４３】
また、対象コンテンツが、放送やインターネットによって配信された番組（配信番組）であり、その配信番組の概要や出演者等の番組情報の、対象コンテンツに関するテキストデータを取得することができる場合には、そのテキストデータを、対象コンテンツの要約情報として採用することができる。ここで、番組情報は、EPG(Electronic Program Guide)から取得することができる。また、対象コンテンツに関するテキストデータとしては、番組情報の他、対象コンテンツを記録（録画）した日時等がある。
【０１４４】
さらに、対象コンテンツが、画像データと音声データの両方を含む場合には、音声データだけを、対象コンテンツの要約情報として採用することができる。
【０１４５】
また、対象コンテンツの要約情報としては、例えば、対象コンテンツの音声データとサムネイルのように、複数種類の情報を採用することが可能である。
【０１４６】
さらに、対象コンテンツが、ドラマ等の番組であり、その番組を宣伝するコマーシャルを含む場合には、そのコマーシャルの部分を、対象コンテンツの要約情報として採用することができる。
【０１４７】
また、対象コンテンツが、連続ドラマ等のシリーズ番組であり、次回の予告を含む場合には、その次回の予告の部分を、対象コンテンツの要約情報として採用することができる。
【０１４８】
ここで、コンテンツの要約の方法としては、例えば、特開2006-54619号公報に記載されている方法等を採用することが可能である。
【０１４９】
また、レコーダ１から携帯機器２には、対象コンテンツの要約情報の他、容量を少なくした対象コンテンツを転送することが可能である。すなわち、レコーダ１から携帯機器２には、要約情報に代えて、HD１４に記録された対象コンテンツを、その容量よりも小さい容量に圧縮した圧縮結果（例えば、ビットレートが低いモードで対象コンテンツを圧縮した圧縮結果や、MPEG(Moving Picture Experts Group)4-AVC(Advanced Video Coding)等の圧縮率の高い圧縮方式で対象コンテンツを圧縮した圧縮結果等）を転送することが可能である。
【０１５０】
さらに、本実施の形態では、レコーダ１と携帯機器２とをUSBケーブル３で接続することにより、USBの規格に準拠した通信によって、レコーダ１と携帯機器２との間で、要約情報セットや操作情報セット等の情報のやりとりを行うようにしたが、レコーダ１と携帯機器２との間では、USBケーブル３等による有線通信の他、IEEE(Institute of Electrical and Electronics Engineers)802.11の規格等に準拠した無線通信によって、情報のやりとりを行うことが可能である。
【０１５１】
また、レコーダ１と携帯機器２との間の情報のやりとりは、メモリカード等のリムーバブル記録媒体を介して行うことが可能である。すなわち、レコーダ１、及び携帯機器２に対して、リムーバブル記録媒体の着脱が可能である場合には、レコーダ１に、リムーバブル記録媒体を装着して、情報を記録し、さらに、レコーダ１からリムーバブル記録媒体を取り外して、携帯機器２に装着することにより、レコーダ１から携帯機器２に情報を転送することができる。携帯機器２からレコーダ１への情報の転送も、同様に、リムーバブル記録媒体を介して行うことができる。
【０１５２】
さらに、本実施の形態では、ユーザが、コンテンツを削除する処理を行うことを指令するように、携帯機器２の操作部４６を操作した場合について説明したが、携帯機器２の操作部４６は、その他、例えば、コンテンツを他の記録媒体としての、リムーバブル記録媒体１５（図２）に記録する処理（ダビングやアーカイブと呼ばれる処理）を行うことを指令するように操作することが可能である。
【０１５３】
すなわち、例えば、ユーザは、要約画面（図７）において、ダビングをしたいコンテンツの要約情報を選択し、ダビングを指令するように、操作部４６を操作する。この場合、携帯機器２では、要約画面で選択された要約情報に対応付けられているコンテンツID、つまり、ダビングをしたいコンテンツのコンテンツIDと、コンテンツのダビングの指令を表す操作情報とのセットである操作情報セットが生成される。この操作情報セットは、携帯機器２からレコーダ１に転送される。レコーダ１（図２）では、携帯機器２からの操作情報セットに基づき、その操作情報セットのコンテンツIDによって特定されるコンテンツが、HD１４から再生され、リムーバブル記録媒体１５に記録（ダビング）される。
【０１５４】
また、携帯機器２の操作部４６は、コンテンツとしての番組の録画予約の処理を行うことを指令するように操作することが可能である。
【０１５５】
すなわち、例えば、ユーザは、要約画面において、録画予約をしたい番組であるコンテンツの要約情報を選択し、録画予約を指令するように、操作部４６を操作する。この場合、携帯機器２では、要約画面で選択された要約情報に対応付けられているコンテンツID、つまり、録画予約をしたい番組であるコンテンツのコンテンツIDと、番組の録画予約の指令を表す操作情報とのセットである操作情報セットが生成される。この操作情報セットは、携帯機器２からレコーダ１に転送される。レコーダ１では、携帯機器２からの操作情報セットに基づき、その操作情報セットのコンテンツIDによって特定されるコンテンツとしての番組が配信されるチャンネルや時刻が、EPG等から認識され、録画予約が行われる。なお、録画予約には、次回配信される番組だけの録画予約である次回予約と、毎日、又は毎週等の定期的に配信される番組の録画予約であるシリーズ予約とがある。次回予約、又はシリーズ予約のうちのいずれの録画予約を行うかは、操作部４６を操作することにより指定することができ、操作情報に含めることができる。
【０１５６】
また、携帯機器２の操作部４６は、コンテンツが誤って消去されることを防止するために、コンテンツをプロテクトする処理を行うことを指令するように操作することが可能である。
【０１５７】
すなわち、例えば、ユーザは、要約画面において、プロテクトをしたいコンテンツの要約情報を選択し、プロテクトを指令するように、操作部４６を操作する。この場合、携帯機器２では、要約画面で選択された要約情報に対応付けられているコンテンツID、つまり、プロテクトをしたいコンテンツのコンテンツIDと、コンテンツのプロテクトの指令を表す操作情報とのセットである操作情報セットが生成される。この操作情報セットは、携帯機器２からレコーダ１に転送される。レコーダ１では、HD１４に記録されているコンテンツのうちの、携帯機器２からの操作情報セットのコンテンツIDによって特定されるコンテンツに対してプロテクトがかけられる。
【０１５８】
また、本実施の形態では、選択画面（図４）において、ユーザが（タイトルを）選択したコンテンツの要約情報（を含む要約情報セット）を、レコーダ１から携帯機器２に転送することとしたが、レコーダ１から携帯機器２には、そのようなユーザによる選択に関係なく、要約情報を転送することが可能である。
【０１５９】
すなわち、レコーダ１から携帯機器２には、例えば、要約情報の前回の転送時からいままでにレコーダ１のHD１４に新たに記録されたコンテンツの要約情報を転送することができる。また、レコーダ１から携帯機器２には、HD１４に記録されたコンテンツのうちの、まだ視聴がされていないコンテンツ、つまり、再生がされていないコンテンツの要約情報を転送することができる。さらに、レコーダ１が、HD１４から消去するコンテンツの一覧である自動消去リストに対して、HD１４に記録がされてから、ある一定時間以上経過したコンテンツを登録する機能を有する場合には、その自動消去リストに追加されたコンテンツの要約情報を、レコーダ１から携帯機器２に転送することができる。
【０１６０】
なお、レコーダ１において、要約情報は、コンテンツがHD１４に記録されたときや、レコーダ１に大きな負荷がかかっていないとき等に作成することが可能である。
【０１６１】
次に、上述した一連の処理は、ハードウェアにより行うこともできるし、ソフトウェアにより行うこともできる。一連の処理をソフトウェアによって行う場合には、そのソフトウェアを構成するプログラムが、レコーダ１として機能するコンピュータや、携帯機器２として機能する携帯型のコンピュータにインストールされる。
【０１６２】
図１１は、上述した一連の処理を実行するプログラムがインストールされるコンピュータの一実施の形態の構成例を示している。
【０１６３】
プログラムは、コンピュータに内蔵されている記録媒体としてのハードディスク１０５やROM１０３に予め記録しておくことができる。
【０１６４】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【０１６５】
なお、プログラムは、上述したようなリムーバブル記録媒体１１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部１０８で受信し、内蔵するハードディスク１０５にインストールすることができる。
【０１６６】
コンピュータは、CPU(Central Processing Unit)１０２を内蔵している。CPU１０２には、バス１０１を介して、入出力インタフェース１１０が接続されており、CPU１０２は、入出力インタフェース１１０を介して、ユーザによって、キーボードや、マウス、マイク等で構成される入力部１０７が操作等されることにより指令が入力されると、それに従って、ROM(Read Only Memory)１０３に格納されているプログラムを実行する。あるいは、また、CPU１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、RAM(Random Access Memory)１０４にロードして実行する。これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、LCD(Liquid Crystal Display)やスピーカ等で構成される出力部１０６から出力、あるいは、通信部１０８から送信、さらには、ハードディスク１０５に記録等させる。
【０１６７】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１６８】
また、プログラムは、１のコンピュータ(CPU)により処理されるものであっても良いし、複数のコンピュータによって分散処理されるものであっても良い。
【０１６９】
なお、本発明の実施の形態は、上述した実施の形態に限定されるものではなく、本発明の要旨を逸脱しない範囲において種々の変更が可能である。
【図面の簡単な説明】
【０１７０】
【図１】本発明を適用した情報処理システムの一実施の形態の構成例を示す図である。
【図２】レコーダ１の構成例を示すブロック図である。
【図３】携帯機器２の構成例を示すブロック図である。
【図４】選択画面の例を示す図である。
【図５】要約情報転送処理を説明するフローチャートである。
【図６】要約情報受信処理を説明するフローチャートである。
【図７】要約画面の例を示す図である。
【図８】操作情報取得処理を説明するフローチャートである。
【図９】操作情報転送処理を説明するフローチャートである。
【図１０】操作反映処理を説明するフローチャートである。
【図１１】本発明を適用したコンピュータの一実施の形態の構成例を示すブロック図である。
【符号の説明】
【０１７１】
１  レコーダ，  ２  携帯機器，  ３  USBケーブル，  ４  TV，  １１  コンテンツ取得部，  １２  コンテンツ出力部，  １３  記録再生制御部，  １４  HD，  １５  リムーバブル記録媒体，  １６  選択部，  １７  要約作成部，  １８  要約情報転送制御部，  １９  操作情報受信制御部，  ２０  操作情報保持部，  ２１  操作情報判定部，  ２２  操作部，  ４１  要約情報受信制御部，  ４２  要約情報保持部，  ４３  制御部，  ４４  出力制御部，  ４５  出力部，  ４６  操作部，  ４７  操作情報保持部，  ４８  操作情報読み出し部，  ４９  操作情報転送制御部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
0004508220.tif 000002
【図２】
0004508220.tif 000003
【図３】
0004508220.tif 000004
【図４】
0004508220.tif 000005
【図５】
0004508220.tif 000006
【図６】
0004508220.tif 000007
【図７】
0004508220.tif 000008
【図８】
0004508220.tif 000009
【図９】
0004508220.tif 000010
【図１０】
0004508220.tif 000011
【図１１】
0004508220.tif 000012